(57)【要約】【課題】薄型化を図ることができる入力機能付き表示装置を提供する。【解決手段】表示パネル、及び、前記表示パネルの表面周縁部の少なくとも一部を被覆するベゼル部を有する表示装置と、前記表示パネルの前方に粘着層を介して配置されるタッチパネルとを備える入力機能付き表示装置であって、前記粘着層は、前記ベゼル部により被覆されていない前記表示パネルの表面領域に配置され、前記表示パネルと前記タッチパネルとを貼着する入力機能付き表示装置。【選択図】図６
2015035173.tif 000002
【特許請求の範囲】
【請求項１】
表示パネル、及び、前記表示パネルの表面周縁部の少なくとも一部を被覆するベゼル部を有する表示装置と、前記表示パネルの前方に粘着層を介して配置されるタッチパネルとを備える入力機能付き表示装置であって、
前記粘着層は、前記ベゼル部により被覆されていない前記表示パネルの表面領域に配置され、前記表示パネルと前記タッチパネルとを貼着する入力機能付き表示装置。
【請求項２】
前記タッチパネルは、前記ベゼル部に対向するタッチパネル周縁部を備えており、前記ベゼル部と前記タッチパネル周縁部とは、前記粘着層により互いに貼着されていないことを特徴とする請求項１に記載の入力機能付き表示装置。
【請求項３】
前記ベゼル部と、前記タッチパネル周縁部との間には、間隙が形成されている請求項２に記載の入力機能付き表示装置。
【請求項４】
前記表示パネル及び前記タッチパネルの積層体を収容する筐体を備えており、
前記筐体は、前記タッチパネルの周縁部を覆うように配置される枠部を備えている請求項１から３のいずれかに記載の入力機能付き表示装置。
【請求項５】
前記タッチパネルの前方に配置されるカバー体を更に備えており、
前記カバー体は、その周端面が前記枠部の内周面と対向するように、前記枠部の内側に配置されている請求項４に記載の入力機能付き表示装置。
【請求項６】
前記カバー体は、円偏光板を備えている請求項５に記載の入力機能付き表示装置。
【発明の詳細な説明】
【技術分野】
【０００１】
本発明は、入力機能付き表示装置、特に、使用者がタッチ入力した個所を入力位置として検出する入力機能付き表示装置に関する。
【背景技術】
【０００２】
従来、銀行端末（キャッシュディスペンサー）、券売機、スマートフォン、パソコン、ＯＡ機器、電子手帳、ＰＤＡ等のディスプレイ装置（表示装置）にタッチパネルを取り付け、使用者がタッチパネルにタッチした個所を入力位置として検出する入力機能付き表示装置が知られている（例えば、特許文献１参照）。この特許文献１に開示されている入力機能付き表示装置は、図９に示すように、内部に表示装置１００が収容される筐体１０１の開口部１０２に、粘着層１０３を介してタッチパネル１０４を貼着したカバー体１０５の周縁部を固定するように構成されている。
【０００３】
このような入力機能付き表示装置に関しては、その全体の薄型化が強く望まれており、その一方策として、カバー体や粘着層の薄型化が検討されている。しかしながら、図９に示すような入力機能付き表示装置の場合、タッチパネル１０４が貼着されたカバー体１０５の周縁部を筐体開口部１０２に固定することにより構成されるものであることから、カバー体１０５を薄く形成すると、カバー体１０５の剛性が不足し、タッチパネル１０４の保持が困難になるという問題があり、その薄型化に限界があった。
【０００４】
また、入力機能付き表示装置の他の形態としては、例えば、図１０に示すような構造のものも知られている（例えば、特許文献２参照）。この入力機能付き表示装置は、液晶等の表示パネル１１０と、該表示パネル１１０の前方に配置されたタッチパネル１１１と、タッチパネル１１１の前方に配置されるカバー体１１２と、表示パネル１１０の後方に配置されるバックライト１１３と、これらタッチパネル１１１、表示パネル１１０及びバックライト１１３が収容された筐体１１４とを備えている。このような形態の入力機能付き表示装置の場合、カバー体１１２、タッチパネル１１１、表示パネル１１０及びバックライト１１３は、それぞれ粘着層を介して互いに貼着されて構成されるため、カバー体１１２に高い剛性が要求されず、カバー体１１２を薄く形成することが可能となる。
【先行技術文献】
【特許文献】
【０００５】
【特許文献１】特開２０１２−１７４０５３号公報
【特許文献２】特開２０１３−８２２５号公報
【発明の概要】
【発明が解決しようとする課題】
【０００６】
上述のように、図１０に示すような入力機能付き表示装置の場合、カバー体１１２の薄型化を行うことが可能ではあるが、粘着層の薄型化を行って、入力機能付き表示装置全体としての更なる薄型化を行うことは困難であるという問題があった。具体的に説明すると、図１０に示すような入力機能付き表示装置の場合、表示パネル１１０とタッチパネル１１１とは、図１１の拡大断面図に示すように、粘着層１１５を介して互いに貼着されるが、その際、表示パネル１１０の前方面全体に粘着層１１５を配置し、両者が貼着される。ここで、表示パネル１１０は、偏光フィルター、ガラス基板、配厚膜、液晶、カラーフィルター等の様々な構成要素が粘着層を介して層状に積層されて形成される積層体構造を有しており、この積層体の周面保護や、各構成要素の横ズレ防止（積層方向に対して垂直な方向へのズレ防止）のため、表示パネル１１０には、その周面の全周を取り囲むように配置される、或いは、周面の一部分に配置されるベゼル部１１６が設けられている。ベゼル部１１６は、例えば、表示パネル１１０の周面の全周或いは一部分に貼り付けられるテープにより、或いは、薄い金属製枠或いは薄い合成樹脂製枠から構成されるものであり、その一部が表示パネル１１０の表面周縁部を被覆することとなる。このような構成の表示パネル１１０の前方面全域に粘着層１１５を配置し、タッチパネル１１１を貼着する場合、図１１の拡大断面図に示すように、表示パネル１１０の表面周縁部を被覆するベゼル部１１５の一部と表示パネル１１０の表面との間で形成される粘着層１１５の段差領域１１７において、表示パネル１１０と粘着層１１５との間での粘着強度や、粘着層１１５とタッチパネル１１１との間での粘着強度が低下し、表示パネル１１０から粘着層１１５やタッチパネル１１１が剥離しやすくなるという問題が生じる。つまり、粘着層１１５の厚みを薄くすることにより装置の薄型化を図ろうとすると、表示パネル１１０と粘着層１１５との間での剥離や、粘着層１１５とタッチパネル１１０との間の剥離の危険性がより一層高くなるため、粘着層１１５の厚みを薄くすることにより装置の薄型化を図るという方策を採用することが困難であった。
【０００７】
本発明は、このような問題を解決するためになされたものであって、薄型化を図ることができる入力機能付き表示装置を提供することを目的とする。
【課題を解決するための手段】
【０００８】
本発明の上記目的は、表示パネル、及び、前記表示パネルの表面周縁部の少なくとも一部を被覆するベゼル部を有する表示装置と、前記表示パネルの前方に粘着層を介して配置されるタッチパネルとを備える入力機能付き表示装置であって、前記粘着層は、前記ベゼル部により被覆されていない前記表示パネルの表面領域に配置され、前記表示パネルと前記タッチパネルとを貼着する入力機能付き表示装置により達成される。
【０００９】
また、この入力機能付き表示装置において、前記タッチパネルは、前記ベゼル部に対向するタッチパネル周縁部を備えており、前記ベゼル部と前記タッチパネル周縁部とは、前記粘着層により互いに貼着されていないことが好ましい。
【００１０】
また、前記表示パネル及び前記タッチパネルの積層体を収容する筐体を備えており、前記筐体は、前記タッチパネルの周縁部を覆うように配置される枠部を備えていることが好ましい。
【００１１】
また、前記タッチパネルの前方に配置されるカバー体を更に備えており、前記カバー体は、その周端面が前記枠部の内周面と対向するように、前記枠部の内側に配置されていることが好ましい。また、前記カバー体は、円偏光板を備えるように構成してもよい。
【発明の効果】
【００１２】
本発明によれば、薄型化を図ることができる入力機能付き表示装置を提供することができる。
【図面の簡単な説明】
【００１３】
【図１】本発明の一実施形態に係る入力機能付き表示装置の概略構成断面図である。
【図２】図１に示す入力機能付き表示装置の概略構成平面図である。
【図３】図１に示す入力機能付き表示装置が備えるタッチパネルの各種概略構成平面図である。
【図４】タッチパネルが備える第１透明面状体及び第２透明面状体の概略構成平面図である。
【図５】タッチパネルが備える第１透明面状体及び第２透明面状体の変形例を示す概略構成平面図である。
【図６】図１の要部拡大断面図である。
【図７】タッチパネルの変形例を示す斜視図である。
【図８】タッチパネルの変形例を示す概略構成平面図である。
【図９】従来の入力機能付き表示装置の概略構成断面図である。
【図１０】他の従来の入力機能付き表示装置の概略構成断面図である。
【図１１】図１０の要部拡大断面図である。
【発明を実施するための形態】
【００１４】
以下、本発明の実態形態にかかる入力機能付き表示装置１について添付図面を参照して説明する。尚、各図面は、構成の理解を容易にするため、実寸比ではなく部分的に拡大又は縮小されている。図１は、本発明の一実施形態に係る入力機能付き表示装置１の概略構成断面図であり、図２は、入力機能付き表示装置１の概略構成平面図である。本発明の一実施形態に係る入力機能付き表示装置１は、使用者がタッチ入力した個所を入力位置として検出することが可能な表示装置２であり、図１及び図２に示すように、表示装置２と、タッチパネル３と、カバー体４と、筐体５とを備えている。
【００１５】
表示装置２は、画像を表示する装置であり、例えば、液晶ディスプレイ、プラズマディスプレイ、有機ＥＬディスプレイ等の装置を採用することができる。この表示装置２は、表示パネル２１を備えている。表示装置２として液晶ディスプレイを採用する場合には、液晶表示パネルが表示パネル２１に相当し、プラズマディスプレイを表示装置２として採用する場合には、プラズマパネルが表示パネル２１に相当する。また、表示装置２として有機ＥＬディスプレイを採用する場合には、有機ＥＬパネルが表示パネル２１に相当する。なお、表示装置２として、液晶ディスプレイを採用する場合には、バックライト（図示せず）が表示パネル２１の後方側（図中下方側）に配置される。
【００１６】
ここで、表示パネル２１は様々な部材が積層されて構成されている。例えば、液晶表示パネルの場合には、例えば、偏光板、カラーフィルタ層、液晶層、ＴＦＴ層、偏光板等が積層された構造を有しており、プラズマパネルの場合には、例えば、背面基板、電極を形成したガラス板、蛍光体層を形成したガラス板、前面基板等が積層された構造を有している。また、有機ＥＬパネルの場合には、例えば、反射電極が形成されたガラス基板、有機積層膜、透明電極層、充填材層、カラーフィルタ層、ブラックマスク層、ガラス層等が積層された構造を有している。このように多種多様な部材の積層構造を有する表示パネル２１には、その周面保護や、各構成部材の横ズレ防止（積層方向に対して垂直な方向へのズレ防止）のため、その周面の全周を取り囲むように配置される、或いは、周面の一部分に配置されるベゼル部２２が設けられている。ベゼル部２２は、例えば、表示パネル２１の周面の全周或いは一部分に貼り付けられるテープにより、又は、薄い金属製枠或いは薄い合成樹脂製枠から構成されるものであり、その一部が表示パネル２１の表面周縁部上を被覆することとなる。
【００１７】
タッチパネル３は、静電容量式のタッチパネルであり、平面視矩形状に形成されている。このタッチパネル３は、表示パネル２１の前方の所定位置に配置した状態において、表示パネル２１のベゼル部２２に対向するタッチパネル周縁部３ａを備えるように構成されている。また、タッチパネル３は、図３（ａ）の概略構成断面図に示すように、第１透明面状体３１と第２透明面状体３２とを備えている。第１透明面状体３１は、図４（ａ）の平面図に示すように、透明基板３１１と、当該透明基板３１１上にパターニングされて形成される複数のタッチ電極部３１２と、当該透明基板３１１上に形成される複数の引き出し配線３１３とを備えている。各引き出し配線３１３は、各タッチ電極部３１２に電気的に接続し、透明基板３１１の一の側縁３１ａに向けて引き出されている。
【００１８】
同様に、第２透明面状体３２は、図４（ｂ）の平面図に示すように、透明基板３２１と、当該透明基板３２１上にパターニングされて形成されるタッチ電極部３２２と、当該透明基板３２１上に形成される複数の引き出し配線３２３とを備えている。各引き出し配線３２３は、各タッチ電極部３２２に電気的に接続し、透明基板３２１の一の側縁３２ａに向けて引き出されている。
【００１９】
第１透明面状体３１と第２透明面状体３２とは、図３（ａ）に示すように、第１透明面状体３１の透明基板３１１の裏面側（タッチ電極部３１２が形成されていない面側）と第２透明面状体３２のタッチ電極部３２２とが互いに対向するようにして、粘着層６ａを介して貼着されている。なお、図３（ｂ）に示すように、第１透明面状体３１と第２透明面状体３２とを、それぞれのタッチ電極部３１２，３２２が対向する向きとなるようにして貼着してもよく、或いは、図３（ｃ）に示すように、第１透明面状体３１のタッチ電極部３１２と第２透明面状体３２の透明基板３２１の裏面側（タッチ電極部３２２が形成されていない面側）とが互いに対向するようにして貼着してもよい。また、粘着層６ａとしては、エポキシ系やアクリル系、シリコン系、ウレタン系など、一般的な透明接着剤を用いることができ、ポリエステル系樹脂の透明性フィルムからなる芯材を含むものであってもよい。また、シート状粘着材を複数枚重ね合わせることにより粘着層６ａを形成してもよく、更に、複数種類のシート状粘着材を重ね合わせて形成してもよい。また、アクリル系ＵＶ硬化樹脂やシリコン系ＵＶ硬化樹脂等の紫外線硬化性樹脂を使用してもよい。粘着層６ａの厚みは、特に指定はないが、実用上では１５μｍから１７５μｍであることが好ましい。
【００２０】
透明基板３１１，３２１は、高い誘電率を有し、透明性が高い材料からなることが好ましく、具体的には、ポリエチレンテレフタレート（ＰＥＴ）、ポリイミド（ＰＩ）、ポリエチレンナフタレート（ＰＥＮ）、ポリエーテルサルフォン（ＰＥＳ）、ポリエーテルエーテルケトン（ＰＥＥＫ）、ポリカーボネート（ＰＣ）、ポリプロピレン（ＰＰ）、ポリアミド（ＰＡ）、ポリアクリル（ＰＡＣ）、アクリル、非晶質ポリオリフィン系樹脂、環状ポリオリフィン系樹脂、脂肪族環状ポリオレフィン、ノルボルネン系の熱可塑性透明樹脂などの可撓性フィルムやこれら２種以上の積層体などを挙げることができる。透明基板３１１，３２１の厚みは、２０〜５００μｍ程度が好ましい。
【００２１】
また、透明基板３１１，３２１を形成する場合、予め、タッチ電極部３１２，３２２が形成される面側に透明性や密着性等を向上させる為のアンダーコート層を設けるようにして構成してもよい。アンダーコート層の材料としては、酸化珪素、酸化チタン、酸化錫などの金属酸化物を例示することできる。このような金属酸化物からなる薄膜層を、スパッタリング法、抵抗蒸着法、或いは、電子ビーム蒸着法などにより、透明基板３１１，３２１の表面に形成することによってアンダーコート層を構成することができる。また、アンダーコート層は、光屈折率が異なる２以上の薄膜層を積層することにより構成することもできる。特に、特開2010-208169等に記載されるようなインデックスマッチング機能を有するアンダーコート層とした場合、透明導電膜のある部分（タッチ電極部３１２，３２２）と無い部分との光学特性の差が小さくなるため、タッチパネル３の視認性が改善される。
【００２２】
各タッチ電極部３１２，３２２は、図４（ａ）及び図４（ｂ）の平面図に示すように、互いに平行に延びる矩形の帯状形状として形成されており、帯状の各タッチ電極部３１２，３２２は、第１透明面状体３１及び第２透明面状体３２を重ね合わせた場合に、互いに直交するように配置されている。
【００２３】
タッチ電極部３１２，３２２のパターン形状は、指などの接触ポイントを検出可能である限り、任意の形状とすることが可能である。例えば、図５（ａ）及び図５（ｂ）の平面図に示すように、タッチ電極部３１２，３２２を、複数の菱形が直線状に連結された菱形連結帯状形状として構成し、第１透明面状体３１及び第２透明面状体３２を重ね合わせた場合に、各タッチ電極部３１２，３２２の長手方向が互いに直交し、且つ、平面視において上下の菱形電極体３１２ａ，３２２ａが重なり合わないように配置してもよい。なお、タッチパネル３の分解能などの動作性能については、第１透明面状体３１と第２透明面状体３２とを重ね合わせた場合に、タッチ電極部３１２，３２２が存在しない領域を少なくする構成を採用する方が優れている。このような観点から、タッチ電極部３１２，３２２のパターン形状として、図４に示す矩形の帯状形状よりも、複数の菱形が直線状に連結された菱形連結帯状形状の方が望ましい。
【００２４】
タッチ電極部３１２，３２２は、透明性が高い材料からなることが好ましく、具体的には、インジウム錫酸化物（ＩＴＯ：Ｉｎｄｉｕｍ
Ｔｉｎ
Ｏｘｉｄｅ）、酸化インジウム、アンチモン添加酸化錫、フッ素添加酸化錫、アルミニウム添加酸化亜鉛、カリウム添加酸化亜鉛、シリコン添加酸化亜鉛や、酸化亜鉛−酸化錫系、酸化インジウム−酸化錫系、酸化亜鉛−酸化インジウム−酸化マグネシウム系、酸化亜鉛、スズ酸化膜等の透明導電材料、或いは、スズ、銅、アルミニウム、ニッケル、クロムなどの金属材料、金属酸化物材料を例示することができ、これら２種以上を複合して形成してもよい。また、金属単体でも導電材料として使用できる。
【００２５】
また、カーボンナノチューブやカーボンナノホーン、カーボンナノワイヤ、カーボンナノファイバー、グラファイトフィブリルなどの極細導電炭素繊維や銀素材からなる極細導電繊維をバインダーとして機能するポリマー材料に分散させた複合材をタッチ電極部３１２，３２２の材料として用いることもできる。ここでポリマー材料としては、ポリアニリン、ポリピロール、ポリアセチレン、ポリチオフェン、ポリフェニレンビニレン、ポリフェニレンスルフィド、ポリｐ−フェニレン、ポリ複素環ビニレン、PEDOT：poly(3,4-ethylenedioxythiophene)などの導電性ポリマーを採用することができる。なお、このような導電性ポリマー単体でタッチ電極部３１２，３２２を形成してもよい。また、ポリエチレンテレフタレート（ＰＥＴ）、ポリエチレンナフタレート（ＰＥＮ）、ポリエーテルサルフォン（ＰＥＳ）、ポリエーテルエーテルケトン（ＰＥＥＫ）、ポリカーボネート（ＰＣ）、ポリプロピレン（ＰＰ）、ポリアミド（ＰＡ）、アクリル、ポリイミド、エポキシ樹脂、フェノール樹脂、脂肪族環状ポリオレフィン、ノルボルネン系の熱可塑性透明樹脂などの非導電性ポリマーを採用することができる。
【００２６】
タッチ電極部３１２，３２２の形成方法は、スパッタリング法、真空蒸着法、イオンプレーティング法などのＰＶＤ法や、ＣＶＤ法、塗工法、印刷法などを例示することができる。またタッチ電極部３１２，３２２の厚みは、特に限定されないが、例えばスパッタリング法でＩＴＯ膜を成膜する場合であって、視認性の向上を図る場合には、６０ｎｍ以下であることが好ましく、４０ｎｍ以下であることがより好ましい。なお、膜厚が５ｎｍ以下では連続した膜になり難く、安定な導電層を形成することは困難である。また、タッチ電極部３１２，３２２の低抵抗化を図る場合には、３０ｎｍ以上の厚みとすることが好ましい。
【００２７】
タッチ電極部３１２，３２２のパターニングは、透明基板３１１，３２１上にそれぞれ形成された導電層の表面に、所望のパターン形状を有するマスク部を形成して露出部分を酸液などでエッチング除去した後、アルカリ液などによりマスク部を溶解させて行うことができる。
【００２８】
タッチ電極部３１２，３２２に電気的に接続する引き出し配線３１３，３２３は、タッチ電極部３１２，３２２がそれぞれ検出したタッチ信号を、フレキシブル配線板（図示せず）を介して、外部に配置されるタッチ位置判別用回路（図示せず）に導くためのものである。
【００２９】
図４（ａ）の平面図に示すように、各引き出し配線３１３の一方端３１３ａは、各タッチ電極部３１２の端部に個別に接続し、他方端３１３ｂは、透明基板３１１の一の側縁３１ａ近傍に配置されている。透明基板３１１の一の側縁３１ａ近傍に配置される各引き出し配線３１３の他方端３１３ｂは、所定間隔をあけて一纏まりに集積され、第１配線集積部３１４を形成している。
【００３０】
同様に、図４（ｂ）の平面図に示すように、第２透明面状体３２における各引き出し配線３２３の一方端３２３ａは、各タッチ電極部３２２の端部に個別に接続し、他方端３２３ｂは、透明基板３２１の一の側縁３２ａ近傍に配置されている。各引き出し配線３２３は、その一方端３２３ａを起点として透明基板３２１の周縁に沿うように引き回され、透明基板３２１の一の側縁３２ａ近傍に導かれるように構成されている。透明基板３２１の一の側縁３２ａ近傍に配置される各引き出し配線３２３の他方端３２３ｂは、所定間隔をあけて一纏まりに集積され、第２配線集積部３２４を形成している。
【００３１】
これら第１配線集積部３１４及び第２配線集積部３２４は、第１透明面状体３１と第２透明面状体３２とを重ね合わせてタッチパネル３を形成する際に、当該タッチパネル３の平面視において、タッチパネル３の同一の一の側縁近傍にて、互いに隣接して配置されるように構成されている。これら第１配線集積部３１４及び第２配線集積部３２４には、フレキシブル配線板（図示せず）の端子が電気的に接続され、タッチ電極部３１２，３２２がそれぞれ検出したタッチ信号が、外部に配置されるタッチ位置判別用回路（図示せず）に導かれる。なお、フレキシブル配線板は、表示装置２の後方側に向けて引き出されている。
【００３２】
引き出し配線３１３，３２３の形成方法としては、種々の方法を採用することができる。例えば、（A）銀などの金属の導電性粒子を含む導電性ペーストを透明基板３１１，３２１上にスクリーン印刷する方法、（B）銅などの金属箔を透明基板３１１，３２１上に積層し、金属箔の上にレジストパターンを形成し、金属箔をエッチングする方法（特開２００８−３２８８４等参照）が挙げられる。また、上述のタッチ電極部３１２，３２２と同様の材料（インジウム錫酸化物（ＩＴＯ））を用いて、スパッタリング法等により引き出し配線３１３，３２３を形成してもよい。また、ポリアニリン、ポリピロール、ポリアセチレン、ポリチオフェン、ポリフェニレンビニレン、ポリフェニレンスルフィド、ポリｐ−フェニレン、ポリ複素環ビニレン、PEDOT：poly(3,4-ethylenedioxythiophene)などの導電性ポリマー（導電性高分子）を印刷することにより引き出し配線３１３，３２３を形成してもよい。
【００３３】
上記（A）の形成方法における導電性粒子としては、銀を主成分とする微粒子を挙げることができる。また、例えば、金、銀、銅、金と銀の合金、金と銅の合金、銀と銅の合金、金と銀と銅の合金のいずれか一を主成分とする微粒子でもよい。また、インジウム錫酸化物（ＩＴＯ）、酸化インジウムに酸化亜鉛を混合した導電性酸化物（ＩＺＯ［ｉｎｄｉｕｍ
ｚｉｎｃ ｏｘｉｄｅ］）、または酸化インジウムに酸化珪素を混合した導電性酸化物（ＩＴＳＯ）を主成分とする微粒子でもよい。また、導電性粒子としては、銀などの金属ナノワイヤーや、カーボンナノチューブ、グラフェン等の微粒子を使用してもよい。
【００３４】
このような構成を有するタッチパネル３は、粘着層６ｂを介して表示パネル２１の前面に貼着されるが、粘着層６ｂは、図６の要部拡大断面図に示すように、ベゼル部２２により被覆されていない表示パネル２１の所定領域に配置され、表示パネル２１とタッチパネル３とを貼着するように構成される。つまり、粘着層６ｂが、表示パネル２１の表面上のベゼル部２２と重なり合わないような位置に配置し、ベゼル部２２とタッチパネル周縁部３ａとが、粘着層６ｂにより互いに貼着されていないように構成される。より具体的には、例えば、ベゼル部２２が、表示パネル２１の表面周縁部の全周を被覆するように構成されている場合には、表示パネル２１の表面に配置されるベゼル部２２の内側に粘着層を配置する。
【００３５】
粘着層６ｂとしては、エポキシ系やアクリル系、シリコン系、ウレタン系など、一般的な透明接着剤を用いることができ、ポリエステル系樹脂の透明性フィルムからなる芯材を含むものであってもよい。また、シート状粘着材を複数枚重ね合わせることにより粘着層６ｂを形成してもよく、更に、複数種類のシート状粘着材を重ね合わせて形成してもよい。また、アクリル系ＵＶ硬化樹脂やシリコン系ＵＶ硬化樹脂等の紫外線硬化性樹脂を使用してもよい。粘着層６ｂの厚みは、特に指定はないが、表示パネル２１の表示面を被覆するベゼル部２２の高さ以上の厚みに設定し、ベゼル部２２と、タッチパネル周縁部３ａとの間に、間隙Ｗが形成されるような厚みに設定することがより好ましい。具体的には、例えば、粘着層６ｂの厚みを１００μｍ以上３５０μｍ以下程度の範囲に設定することが好ましく、間隙Ｗは、ベゼル部２２とタッチパネル３との間の距離が、例えば１０μｍ以上１００μｍ以下の範囲となるように設定することが好ましい。
【００３６】
カバー体４は、タッチパネル３を保護する機能を有する透明なフィルム部材であり、タッチパネル３の前方に配置されている。このカバー体４の露出面がタッチ操作用のタッチ面を構成する。カバー体４は、平面視矩形状に形成されており、タッチパネル３の周縁部よりも内側領域において、粘着層６ｃを介してタッチパネル３に貼着されている。つまり、カバー体４の周縁とタッチパネル３の周縁との間にタッチパネル３の表面が露出するようにして、カバー体４はタッチパネル３の前方に配置されている。また、カバー体４は、その周端面が、後述の筐体５における枠部５１の内周面と対向するように、当該枠部５１の内側に配置されている。
【００３７】
カバー体４は、例えば、ポリエチレンテレフタレート（ＰＥＴ）、ポリイミド（ＰＩ）、ポリエチレンナフタレート（ＰＥＮ）、ポリエーテルサルフォン（ＰＥＳ）、ポリエーテルエーテルケトン（ＰＥＥＫ）、ポリカーボネート（ＰＣ）、ポリプロピレン（ＰＰ）、ポリアミド（ＰＡ）、アクリル（ポリメタクリル酸メチル；ＰＭＭＡ）等の合成樹脂製の可撓性フィルムにより形成される。なお、これらのフィルムの表面に、ハードコート層等を設けてもよい。また、これら２種以上の積層体によりカバー体４を構成してもよい。積層体構造を有するカバー体４としては、ポリカーボネート（ＰＣ）製フィルムの両面にアクリル製フィルムを配設した積層フィルム（ＰＭＭＡ／ＰＣ／ＰＭＭＡフィルム）や、アクリル製フィルムの片面にポリカーボネート（ＰＣ）フィルムを配設した積層フィルム（ＰＭＭＡ／ＰＣフィルム）が好ましく使用される。ここで、カバー体４の厚みは、１５０μｍ以上８００μｍ以下となるように構成することが好ましく、２００μｍ以上５００μｍ以下となるように構成することがさらに好ましい。
【００３８】
また、カバー体４が、直線偏光板とλ／４位相差板とを全面貼りして構成される円偏光板を備えるように構成してもよい。直線偏光板は、ヨウ素や二色性染料などの二色性色素を吸着配向させたポリビニルアルコール（ＰＶＡ）の延伸フィルムを例示することができ、このフィルムの両面を、保護フィルムとしてのトリアセチルアセテート（ＴＡＣ）フィルムで挟持するように貼り合わせたものを使用してもよい。λ／４位相差板は、ポリビニルアルコール（ＰＶＡ）やポリカーボネート（ＰＣ）、ノルボルネン系の熱可塑性樹脂、環状ポリオレフィン樹脂などのフィルムを延伸して複屈曲性を付与したものを例示することができる。なお、カバー体４が円偏光板を備えるように構成する場合、λ／４位相差板がタッチパネル３側に配置されるように構成する。また、カバー体４が円偏光板を備える場合、タッチパネル３が有する透明基板３１１，３２１は、光等方性材料から形成することが好ましい。光等方性材料は、入射する全ての光に対して、偏光性を有しない材料で、例えば、ポリカーボネート（ＰＣ）、ポリエーテルサルフォン（ＰＥＳ）、ポリアクリル（ＰＡＣ）、非晶質ポリオリフィン系樹脂、環状ポリオリフィン系樹脂、脂肪族環状ポリオレフィン、ノルボルネン系の熱可塑性透明樹脂、ガラス材料などを例示することができる。これらの材料を用いて透明基板３１１，３２１を形成する方法としては、キャストや押し出しという手法を用いることができる。
【００３９】
このように、カバー体４を円偏光構成とすることにより、タッチパネル３内部の材料界面等からの反射光を低減することができ、良好な低反射性を付与することが可能となり、表示パネル２１によって表示される画像等の視認性をより向上させることができる。
【００４０】
また、カバー体４とタッチパネル３との間に介在する粘着層６ｃとしては、エポキシ系やアクリル系、シリコン系、ウレタン系など、一般的な透明接着剤を用いることができ、ポリエステル系樹脂の透明性フィルムからなる芯材を含むものであってもよい。また、シート状粘着材を複数枚重ね合わせることにより粘着層６ｃを形成してもよく、更に、複数種類のシート状粘着材を重ね合わせて形成してもよい。また、アクリル系ＵＶ硬化樹脂やシリコン系ＵＶ硬化樹脂等の紫外線硬化性樹脂を使用してもよい。粘着層６ｃの厚みは、特に指定はないが、実用上では１５μｍから１７５μｍであることが好ましい。
【００４１】
筐体５は、表示装置２、タッチパネル３及びカバー体４からなる積層体を収容する外箱である。この筐体５は、表示装置２及びタッチパネル３等を収容可能であればどのような形態を有してもよい。本実施形態においては、略矩形の平面形状を有する略直方体として筐体５が形成されている。また、略直方体形状の筐体５の一面は開口するように構成されており、その開口部には、枠部５１が設けられている。この枠部５１は、タッチパネル３の周縁部３ａ全域を覆うように形成されている。また、枠部５１は、その内周面５１ａが、上述のカバー体４の周端面４ａと対向するように形成され、また、枠部５１の表面５１ｂとカバー体４の表面４ｂとが略面一となるように構成されている。
【００４２】
以上の構成を備える入力機能付き表示装置１においては、装置使用者は、表示装置２の表示面（表示パネル）に映し出される画像をタッチパネル３及びカバー体４を介して透視しながら、カバー体４の表面に対してタッチ入力を行う。これにより、タッチパネル３におけるタッチ電極部３１２，３２２が、タッチ位置において人体の静電容量を介して接地され、このときのタッチ電極部３１２，３２２を流れる電流値の変化を検出することにより、タッチ位置の座標が演算される。
【００４３】
本発明に係る入力機能付き表示装置１においては、図６に示すように、ベゼル部２２により被覆されていない表示パネル２１の所定領域に粘着層６ｂを配置し、表示パネル２１とタッチパネル３とを貼着するように構成している。これにより、従来発生していたような表示パネル２１の表面周縁部を被覆するベゼル部２２の一部と表示パネル２１の表面との間で形成される段差状の粘着領域が形成されず（図６、図１０参照）、表示パネル２１と粘着層６ｂとの間での粘着強度や、粘着層６ｂとタッチパネル３との間での粘着強度が低下することを効果的に防止することができる。つまり、粘着層６ｂの厚みを薄く形成したとしても、表示パネル２１と粘着層６ｂとの間での剥離や、粘着層６ｂとタッチパネル３との間の剥離の発生を低く抑えることが可能となり、結果として、粘着層６ｂの厚みを薄くすることによる入力機能付き表示装置１の薄型化を図ることが可能となる。
【００４４】
また、従来例を示す図１１に示すように、ベゼル部を含む表示パネル１１０の前方面全体に粘着層１１５を配置し、表示パネル１１０とタッチパネル１１１とを貼着する場合、段差領域１１７におけるエア噛み（気泡発生）を避けるため、粘着層１１５の厚みを、段差領域１１７の高さの２〜３倍程度の厚みに設定する必要があったが、本発明の場合、図６に示すように、表示パネル２１の表面周縁部を被覆するベゼル部２２の一部と表示パネル２１の表面との間において段差状の粘着領域が形成されないため、当該箇所におけるエア噛み防止を目的として粘着層６ｂの厚み大きく設定する必要がなくなり、入力機能付き表示装置１全体としての厚みを薄くすることが可能となる。
【００４５】
また、本発明に係る入力機能付き表示装置１においては、上述のように、従来発生していたような、表示パネル２１の表面周縁部を被覆するベゼル部２２の一部と表示パネル２１の表面との間で形成される段差状の粘着領域が形成されない。従来の場合、段差状の粘着領域（段差部）が存在することにより、当該段差部近傍では、タッチパネル３やカバー体４に歪みが発生し、この歪みの影響により、タッチパネル３やカバー体４を介して装置使用者に表示される画像の周縁領域に歪みが生じる恐れがあった。これに対して、本発明に係る入力機能付き表示装置１の場合には、段差状の粘着領域が存在しないため、装置使用者に表示される画像に歪みが生じることがなく、極めて良好な視認性を得ることが可能となる。
【００４６】
また、本発明に係る入力機能付き表示装置１は、図６に示すように、タッチパネル３が、ベゼル部２２に対向するタッチパネル周縁部３ａを備えており、ベゼル部２２とタッチパネル周縁部３ａとが、粘着層６ｂにより互いに貼着されないように構成されている。つまり、タッチパネル周縁部３ａは、ベゼル部２２に対して浮いた状態となるように構成されている。ここで、上述のように、タッチパネル３の周縁部には、フレキシブル配線板が接続されるが、当該フレキシブル配線板は、表示パネル２１（表示装置２）の後方側へと屈曲されて引き出されるため、フレキシブル配線板の屈曲に伴って、フレキシブル配線板とタッチパネル３との接続箇所において、フレキシブル配線板が剥離するおそれがある。これに対し、本発明のように、タッチパネル周縁部３ａが、ベゼル部２２に対して浮いた状態となるように構成することにより、タッチパネル周縁部３ａにおけるフレキシブル配線板との接続箇所に、フレキシブル配線板を剥離させるような力が作用したとしても、浮いているタッチパネル周縁部３ａがその力の一部を吸収することとなり、フレキシブル配線板がタッチパネル３から剥離することを効果的に防止することができる。特に、表示パネル２１の表面周縁部を被覆するベゼル部２２と、このベゼル部２２の表面２２ａに対向するタッチパネル周縁部３ａとの間に、間隙Ｗが形成されるように構成することにより、タッチパネル周縁部３ａが撓みやすくなり、フレキシブル配線板を剥離させるような力の吸収性がより一層向上し、フレキシブル配線板がタッチパネル３から剥離することを極めて効果的に防止して、入力機能付き表示装置１の耐久性を向上させることが可能となる。
【００４７】
以上、本発明の一実施形態について説明したが、本発明の具体的な態様は上記実施形態に限定されない。上記実施形態においては、入力機能付き表示装置１が備えるタッチパネル３は、第１透明面状体３１及び第２透明面状体３２を重ね合わせるようにして構成されているが、第１透明面状体３１或いは第２透明面状体３２のいずれか一方を省略して、タッチパネル３を構成してもよい。また、透明基板３１１の一方面側にタッチ電極部３１２を形成し、他方面側にタッチ電極部３２２を形成してタッチパネル３を構成してもよい。また、図７の斜視図に示すように、第２透明面状体３２を省略すると共に、第１透明面状体３１の透明基板３１１の一方面側に、タッチ電極部３１２及びタッチ電極部３２２の双方を形成してもよい。このようにしてタッチパネル３を構成する場合、タッチ電極部３１２とタッチ電極部３２２とが互いに重なる部分が形成されることとなるが、当該重なり部分において、絶縁部３５０を介在させることにより、タッチ電極部３１２とタッチ電極部３２２とが導通することを防止でき、タッチパネル３としての機能を維持することができる。
【００４８】
また、上記実施形態においては、各タッチパネル３の構成として、タッチ電極部３１２（タッチ電極部３２２）を帯状形状となるように形成しているが、例えば、図８に示すように、タッチ電極部３１２をアイランド状に形成してもよい。このようにアイランド状にタッチ電極部３１２を構成する場合、各タッチ電極部３１２に、引き出し配線３１３が接続するように構成するため、引き出し配線３１３の一部は、各タッチ電極部３１２の間を通過するように配置される。なお、図８に示すように、タッチ電極部３１２をアイランド状に構成し、各タッチ電極部３１２に、引き出し配線３１３がそれぞれ接続するように構成した場合、当該タッチ電極部３１２を有する第１透明面状体３１のみでタッチパネル３としての機能を備える。
【００４９】
また、上記実施形態においては、タッチパネル３が有する各タッチ電極部３１２，３２２を、ＩＴＯ膜等の導電膜により構成しているが、例えば、金属線を網目状に配設することにより各タッチ電極部３１２，３２２を構成してもよい、網目状の具体例としては、金属線を格子状にした形状を挙げることができる。格子状形状としては、透明基板３１１，３２１の各辺に平行となるように金属線を配置して格子状形状を形成してもよく、透明基板３１１，３２１の各辺に対して所定角度傾くように金属線を配置して格子状形状を形成してもよい。金属線は、極細線であり、金属線同士は略等間隔に並べられている。金属線の線幅は、３μｍ〜５０μｍの範囲とすることが好ましく、特に４μｍ〜３０μｍの範囲とすることが好ましい。また、隣接する金属線同士の間隔は、１００μｍ〜１０００μｍの範囲とすることが好ましい。
【００５０】
また、上記実施形態において、各タッチ電極部３１２，３２２および各引き出し配線３１３，３２３を銅や銀などの金属薄膜により形成してもよい。このような構成を採用する場合、タッチ電極部３１２，３２２の少なくとも一部が網目状となるように構成してもよい。このように、各タッチ電極部３１２，３２２および各引き出し配線３１３，３２３を金属薄膜により構成する場合、各タッチ電極部３１２，３２２および各引き出し配線３１３，３２３を同時に形成することが可能となり、製造上の作業性を向上できると共に、製造コストを低く押させることができる。また、タッチパネル３の見栄えを良好なものとすることができる。また、金属薄膜によりタッチ電極部３１２，３２２および各引き出し配線３１３，３２３形成する方法としては、上述のように、銀などの金属の導電性粒子を含む導電性ペーストを透明基板３１１，３２１上にスクリーン印刷する方法や、銅などの金属箔を透明基板３１１，３２１上に積層し、金属箔の上にレジストパターンを形成し、金属箔をエッチングする方法等を例示することができる。
【００５１】
また、上記実施形態においては、タッチパネル３として、静電容量式タイプのものを採用しているが、例えば、抵抗膜式のタッチパネルを採用してもよい。この抵抗膜式のタッチパネルにおけるタッチ位置の検出方法は、従来の抵抗膜式のタッチパネルと同様であり、カバー体４の任意の位置を指などで押圧することで、タッチ電極部３１２及びタッチ電極部３２２が接触し、その接点の抵抗値を横方向と縦方向に時分割的測定をすることで接触位置の座標が演算される。
【符号の説明】
【００５２】
１  入力機能付き表示装置
２  表示装置
２１  表示パネル
２２  ベゼル部
３  タッチパネル
３ａ  タッチパネル周縁部
３１  第１透明面状体
３１１  透明基板
３１２  タッチ電極部
３１３  引き出し配線
３１４  第１配線集積部
３２  第２透明面状体
３２１  透明基板
３２２  タッチ電極部
３２３  引き出し配線
３２４  第２配線集積部
３５  遮光膜
４  カバー体
４ａ  カバー体の周端面
５  筐体
５１  枠部
５１ａ  枠部の内周面
６ａ、６ｂ、６ｃ  粘着層
【図１】
2015035173.tif 000003
【図２】
2015035173.tif 000004
【図３】
2015035173.tif 000005
【図４】
2015035173.tif 000006
【図５】
2015035173.tif 000007
【図６】
2015035173.tif 000008
【図７】
2015035173.tif 000009
【図８】
2015035173.tif 000010
【図９】
2015035173.tif 000011
【図１０】
2015035173.tif 000012
【図１１】
2015035173.tif 000013